(57)【特許請求の範囲】
【請求項１】
入賞空間内に特定領域を備えた入賞装置と、前記特定領域をパチンコ球が通過したことを検出してオンデータを出力する特定領域通過検出スイッチと、前記入賞装置を制御する制御部とを備え、パチンコ球が前記特定領域を通過したことを条件に大当りとなるパチンコ機において、
前記制御部は、前記特定領域通過検出スイッチのオンオフデータを所定時間毎に複数回を一単位として入力し、入力バッファに順次記憶する入力処理手段と、
前記複数回の特定領域通過検出スイッチのオンオフデータの記憶が完了すると、当たり回数カウンタ及び外れ回数カウンタをクリアし、各入力バッファに記憶されているオンオフデータが基準当たりデータに一致しているか否かを順次判別し、前記基準当たりデータに一致している場合前記当たり回数カウンタを計数する一方、前記基準当たりデータに一致しない場合前記外れ回数カウンタを計数し、前記各入力バッファに記憶されているオンオフデータの全てに関して前記判別が完了すると、前記当たり回数カウンタの計数値が前記外れ回数カウンタの計数値を上回ったか否かを判別し、前記当たり回数カウンタの計数値が前記外れ回数カウンタの計数値を上回った場合に前記大当りの制御を行う大当り判定手段とを備えたことを特徴とするパチンコ機。
【発明の詳細な説明】
【０００１】
【産業上の利用分野】
本発明は、パチンコ機に配備されたマイクロコンピユータに記憶保持されるパチンコ遊技態様に応じた各検出信号のデータに基づいて、マイクロコンピユータが行う各種制御動作において、記憶保持されたデータが異常データである場合に行われる異常動作を防止するパチンコ機に関するものである。
【０００２】
【従来の技術】
パチンコ遊技機には、パチンコ遊技機に配備された入賞装置並びに図柄表示装置を駆動制御するための制御装置が配備されており、制御装置は、パチンコ遊技に関わる各遊技状態を検出する検出手段の検出信号に応じて、パチンコ遊技態様に対応した遊技動作を入賞装置並びに図柄表示装置に行わせている。
【０００３】
この制御装置は、処理実行手段としてのＣＰＵと、ＣＰＵが実行する入賞装置や図柄表示装置などの制御プログラムが格納されたＲＯＭと、データを一時的に記憶するためのＲＡＭとを備えたマイクロコンピユータにより構成されているものがほとんどである。また、制御装置には、パチンコ遊技に関わる各遊技状態を検出する検出手段からの検出信号の入力や、入賞装置並びに図柄表示装置に対してのデータや制御信号の出力のためのＰＰＩ（周辺インタフェース）が通常接続されている。
【０００４】
マイクロコンピユータのＣＰＵは、パチンコ遊技に関わる各遊技状態を検出する検出手段からの検出信号をＰＰＩから所定の処理周期で読み込んでＲＡＭに一端記憶保持させ、ＲＡＭに記憶保持された検出信号の有無を判別することにより、入賞装置並びに図柄表示装置の動作制御を行うようにしている。
【０００５】
ところで、パチンコ遊技には、入賞装置、図柄表示装置の他に、表示ランプや賞品球払い出し装置等の電気部品が多数配設されているため、電気的ノイズが発生しやすい環境にある。この電気的ノイズが発生すると、前記検出手段からの検出信号に雑音として混入するため、ＣＰＵが検出信号をＰＰＩから所定の処理周期で読み込んでＲＡＭに一端記憶保持させる際に、ＲＡＭに異常データが記憶されてしまう。例えば、検出信号が特定入賞領域に配備された検出手段から出力される当たり信号である場合、当たり信号が実際にはオフであるにもかかわらず、ノイズにより当たり信号がオンとして記憶されてしまい、ＣＰＵが異常データを基に入賞装置や図柄表示装置を駆動制御する結果、実際に当たりではないにもかかわらず、当たりである場合の遊技態様が、入賞装置や図柄表示装置を介して具現されてしまうといった不具合が生ずる場合があった。
【０００６】
このようなパチンコ機の異常動作は、遊技者にとっては遊技場が不正を行っているかのような不信感を抱きかねないし、遊技場側にあっても、正規の入賞に対する当たりの遊技態様ではないから不利益となる。
【０００７】
【発明が解決しようとする課題】
本発明の目的は、マイクロコンピユータに記憶保持された大当りの制御に関わるデータが異常データである場合に、異常データを無効なものとすることにより、異常データに基くパチンコ機の異常動作を防止することを可能とするパチンコ機を提供することにある。
【０００８】
【課題を解決するための手段】
請求項１に係るパチンコ機は、入賞空間内に特定領域を備えた入賞装置と、前記特定領域をパチンコ球が通過したことを検出してオンデータを出力する特定領域通過検出スイッチと、前記入賞装置を制御する制御部とを備え、パチンコ球が前記特定領域を通過したことを条件に大当りとなるものであって、上記課題を解決するために、前記制御部は、前記特定領域通過検出スイッチのオンオフデータを所定時間毎に複数回を一単位として入力し、入力バッファに順次記憶する入力処理手段と、前記複数回の特定領域通過検出スイッチのオンオフデータの記憶が完了すると、当たり回数カウンタ及び外れ回数カウンタをクリアし、各入力バッファに記憶されているオンオフデータが基準当たりデータに一致しているか否かを順次判別し、前記基準当たりデータに一致している場合前記当たり回数カウンタを計数する一方、前記基準当たりデータに一致しない場合前記外れ回数カウンタを計数し、前記各入力バッファに記憶されているオンオフデータの全てに関して前記判別が完了すると、前記当たり回数カウンタの計数値が前記外れ回数カウンタの計数値を上回ったか否かを判別し、前記当たり回数カウンタの計数値が前記外れ回数カウンタの計数値を上回った場合に前記大当りの制御を行う大当り判定手段とを備えたことを特徴とする。
【００１０】
【作用】
入力処理手段は、特定領域通過検出スイッチのオンオフデータを所定時間毎に複数回を一単位として入力し、入力バッファに順次記憶する。大当り判定手段は、複数回の特定領域通過検出スイッチのオンオフデータの記憶が完了すると、当たり回数カウンタ及び外れ回数カウンタをクリアし、各入力バッファに記憶されているオンオフデータが基準当たりデータに一致しているか否かを順次判別し、基準当たりデータに一致している場合当たり回数カウンタを計数する一方、基準当たりデータに一致しない場合外れ回数カウンタを計数し、各入力バッファに記憶されているオンオフデータの全てに関して判別が完了すると、当たり回数カウンタの計数値が外れ回数カウンタの計数値を上回ったか否かを判別し、当たり回数カウンタの計数値が外れ回数カウンタの計数値を上回った場合に大当りの制御を行う。
【００１２】
【実施例】
以下、本発明の実施例を図面を参照して説明する。図１は、本発明の一実施例のパチンコ機に配備された遊技盤１を示す正面図である。遊技盤１面の略中央には、入賞装置ユニット２が配設され、入賞装置ユニット２の下方には、始動入賞口３が配設され、始動入賞口３の奥方には、入賞検出手段としての始動口検出スイッチＳＷ１が配備されている。図１において、また、遊技盤１面には、従来と同様、普通入賞口やパチンコ遊技態様によって各グループ毎に点灯点滅駆動される各表示灯が適宜配設されているが、詳細な説明は省略する。
【００１３】
入賞装置ユニット２は、図２に示すように、入賞装置ユニット２の外装を形成している入賞装置ユニット枠４を備え、入賞装置ユニット枠４の前面側が遊技盤１面から前方に向けて突出された状態で遊技盤１面に装着されている。入賞装置ユニット枠４の前面側上部寄りの左右側部にそれぞれ大入賞口５，５が設けられると共に、該大入賞口５，５には大入賞口５，５を開閉する可動翼片６，６が揺動自在に軸支されている。
【００１４】
また、図２に示すように、入賞装置ユニット枠４の前面側上部には、後述する連続回数判定図柄を変動後停止表示する図柄表示器７が配設され、図柄表示器７の下方には、左方に大入賞口５，５の開閉動作の連続回数を表示する連続回数表示ＬＥＤ８が配設され、右方に左右の大入賞口５，５に入賞する遊技球数を表示する大入賞口入賞数表示ＬＥＤ９が配設されている。
【００１５】
図３は、入賞装置ユニット２の一部を破断して要部を示す斜視図であり、図４は、入賞装置ユニット２の側断面図である。入賞装置ユニット枠４の中央には、図３及び図４に示すように、前方に向けて開口された入賞空間１０が設けられている。該入賞空間１０は、左右の側方壁１１（図３において正面に向かって左側の一方のみ図示）と、上方の天壁１２と、下方の球誘導板１３と、奥方の後壁１４とに囲まれて形成されている。
【００１６】
入賞空間１０の上方側の天壁１２の前縁寄りには、図３に示すように、左方及び右方の大入賞口５，５にそれぞれ対応して、入賞空間１０に連通する球落入口１５（正面に向かって左側の一方のみ図示）が設けられ、各球落入口１５には、図４に示すように、大入賞口入賞検出スイッチＳＷ２ａ，ＳＷ２ｂがそれぞれ配設されている。なお、図３においては、正面に向かって左方の大入賞口入賞検出スイッチＳＷ２ａのみ図示している。
【００１７】
入賞空間１０の上部奥方には、モンキーを模した上部キャラクタ１６が左右方向及び前後方向に移動自在に配設され、入賞空間１０の上下方向の中間寄りの前方側には、該入賞空間１０を上下に区分すると共に、入賞空間１０の奥方に向けて下がるよう傾斜された棚板１７が装着され、該入賞空間１０の下部奥方には、カニを模した下部キャラクタ１８が左右方向に移動自在に配設され、下部キャラクタ１８の前方下部には、前方に向けて下がる傾斜がかけられた球誘導板１３が設けられ、該誘導板１３の前端縁から前方下方には、落入入賞部１９が設けられると共に、該落入入賞部１９の中央には、特定領域２０が区分設定されている。なお、特定領域２０には、特定領域通過検出スイッチＳＷ３が配設されている。また、入賞装置ユニット枠２の上部の後部には、大入賞口５，５の開閉する可動翼片６，６を揺動動作するための大入賞口ソレノイドＳＯＬ１が配設されている。
【００１８】
入賞装置ユニット枠４の後部には、図４に示すように、ブラケット２１が装着され、該ブラケット２１には、上部キャラクタ１６及び下部キャラクタ１８を左右方向に互いに対称移動するための駆動源及び駆動伝達機構と、上部キャラクタ１６を前後移動するための駆動源及び駆動伝達機構が配設されている。
【００１９】
上部キャラクタ１６は、図３に示すように、その前部のモンキーを象ったキャラクタ部２２と図６に示すキャラクタ部２２の後部の延出部２３と、キャラクタ部２２と延出部２３の中間に前後方向に形成された挿通支持部２４とを備え、延出部２３の中央には、リンク挿通孔２５が上下方向に設けられ、図３及び図４に示すように、上部キャラクタ１６の挿通支持部２４が、入賞空間１０を形成している奥方の後壁１４に左右方向に向けて設けられた長孔２６に挿通されている。なお、上部キャラクタ１６の挿通支持部２４は、長孔２６の上下の巾よりも僅かに小さい。このため、上部キャラクタ１６は、該長孔２６に沿って左右方向に移動自在であり、かつ挿通支持部２４が形成されている前後方向に移動自在である。
【００２０】
図５に示すように、上部キャラクタ１６のモンキーを象ったキャラクタ部２２には、パチンコ球Ｐの１個分の間隔より僅かに幅広く形成された左右の腕部２７，２７が前方に向けて形成され、一方、入賞空間１０の前方を上下に区切る棚板１７の後端縁中央部には、後方に向けて延出凸部２８が形成され、上部キャラクタ１６がパチンコ球停留位置である前方に移動した時に、腕部２７，２７の間にパチンコ球Ｐを介在させると共に、棚板１７の延出凸部２８にパチンコ球Ｐの下部が支えられてパチンコ球Ｐを１個分停留保持するよう構成されている（図５参照）。
【００２１】
下部キャラクタ１８は、図３に示すように、その前部のカニを象ったキャラクタ部２９と、図４に示すキャラクタ部２９の後部の延出部３０とを備え、延出部３０にはリンク挿通孔３１が上下方向に設けられ、図３及び図４に示すように、図３及び図４に示すように、下部キャラクタ１８の延出部３０が、入賞空間１０を形成している奥方の後壁１４に左右方向に向けて設けられた長孔３２に挿通されている。
【００２２】
図４に示すように、下部キャラクタ１８のカニを象ったキャラクタ部２９は、前後方向において、上部キャラクタ１６のキャラクタ部２２に設けられた腕部２７のほぼ下方に位置し、該キャラクタ部２９は、その上部に上方に向けて開口された球受口３３と、球受口３３と連続すると共に前方に向けて形成された球誘導路３４と、球誘導路３４の前端となるキャラクタ部２９の前面に設けられたゲート状の球出口３５とを備えている。
【００２３】
上部キャラクタ１６と下部キャラクタ１９とは、図８に示すような長リンク３６、中継リンク３７及び小リンク３８からなるリンク機構３９により、上部キャラクタ１６及び下部キャラクタ１８が互いに左右方向に対称移動されるように連結されている。図４に示すように、入賞空間１０を形成している奥方の後壁１４の裏面側には、図８に示す長リンク３６の中間下部寄りが支軸ピン４０により揺動自在に軸支され、図８に示す長リンク３６の上部３６ａ側が、図４に示すように上部キャラクタ１６の延出部２３のリンク挿通孔２５に挿通され、図８に示す長リンク３６の下部３６ｂ側が、図４に示すように下部キャラクタ１８の延出部３０のリンク挿通孔３１に挿通されている。図８に示すように、長リンク３６の中間上部寄りには、後方に向けて支軸４１が突設されると共に、該支軸４１に中継リンク３７の一端が回動自在に軸支されている。
【００２４】
また、図４に示すように、入賞装置ユニット枠４の後部に装着されたブラケット２１の中央には、第１キャラクタモータＭ１がその駆動軸４２を前方に向けて配設されている。第１キャラクタモータＭ１の駆動軸４２の先端寄りには、上部キャラクタ１６及び下部キャラクタ１８の左右方向の対称移動における定位置検出用の第１カム４３が固着され、該駆動軸４２の先端に、図８に示す小リンク３８の一端が固着されている。図８に示すように、小リンク３８の他端には前方に向けて支軸４４が突設されると共に、該支軸４４に中継リンク３７の他端が回動自在に軸支されている。このため、第１キャラクタモータＭ１の駆動軸４３の回転力が、小リンク３８及び中継リンク３７を介して長リンク３６に伝達される。
【００２５】
また、第１カム４３は、図８に示すように、円板状のフランジ４５を備え、フランジ４５の周縁から径方向に中心に向けて欠切溝４６ａ，４６ｂが２箇所設けられている。なお、欠切溝４６ａ，４６ｂが設けられている位置は、図１２（ａ）に示すように、上部キャラクタ１６と下部キャラクタ１８とが入賞領域１０の中央において上下に一致する定位置に対応して設けられている。ブラケット２１には、第１カム４３のフランジ４５の周縁を臨む位置にフォトインタラプタからなる第１定位置検出スイッチＳＷ４が配設されている。
【００２６】
また、ブラケット２１の上部には、上部キャラクタ１６を前後に移動するための第２キャラクタモータＭ２がその駆動軸４７を下方に向けて配設されている。第２キャラクタモータＭ２の駆動軸４７には、図６に示すように、上部キャラクタ１６の前後移動における後退位置である定位置を検出するための第２カム４８の中心が固着され、第２カム４８の偏心位置には下方に向けて支軸４９が突設されている。第２カム４８の下方には、上部キャラクタ１６の延出部２３の後端面に臨む押圧部材５０が前後方向にのみ移動自在に配設されると共に、該押圧部材５０の後端寄りには、左右方向に向けて長孔５１が設けられており、第２カム４８の偏心位置に設けられた支軸４９が押圧部材５０の長孔５１内に挿通されている。
【００２７】
第２カム４８は、図６に示すように、平面視において、その中心線より一側に半円型の径小フランジ部４８ａが形成され、他側に径小フランジより１９ａも径大の半円型の径大フランジ４８ｂが形成され、径小フランジ部４８ａと径大フランジ４８ｂとの間の両側には、径方向に直線状の両端縁部４８ｃ，４８ｄが形成されてなる。また、ブラケット２１の上部側の後部には、第２カム４８の径大フランジ４８ｂを臨む位置にフォトインタラプタからなる第２定位置検出スイッチＳＷ５が配設されている。
【００２８】
次に、図８乃至図１２を参照して上部キャラクタ１６及び下部キャラクタ１８の左右方向の対称移動について説明する。
まず、図８及び図１２に示す定位置では、上部キャラクタ１６と下部キャラクタ１８とが入賞領域１０の中央において上下に一致している。また、定位置を検出するための第１カム４３の周縁に設けられた一方の欠切溝４６ａが第１定位置検出スイッチＳＷ４の検出位置にあり、第１定位置検出スイッチＳＷ４による検出状態がローレベルであって、定位置が検出された状態となっている。なお、図８乃至図１２において、第１キャラクタモータＭ１は、反時計回りに回転駆動する。
【００２９】
図８において、第１キャラクタモータＭ１が、反時計回りに回転駆動されると、その駆動軸４２に固着された第１カム４３及び小リンク３８が反時計方向に回転される。第１カム４３が回転移動されることにより、第１カム４３の周縁の一方の欠切溝４６ａが第１定位置検出スイッチＳＷ４の検出位置から移動し、第１定位置検出スイッチＳＷ４による検出状態がローレベルからハイレベルに転じる。
【００３０】
また、小リンク３８がその一端を中心として反時計回りに回転移動されることにより、小リンク３８の他端に設けた支軸４４を介して中継リンク３７の他端が図８における左方側へと引き込まれ、同時に、中継リンク３７の一端の支軸４１を介して長リンク３６の中間上部寄りが左方側へと引き込まれ、長リンク３６の中間下部寄りが支軸ピン４０を中心として図８において反時計回りに回動される。長リンク３６が図８において反時計回りに回動されると、長リンク３６の上部３６ａが図８において左方へと移動され、同時に長リンク３６の下部３６ｂが図８において右方へと移動される。
【００３１】
図４に示すように、上部キャラクタ１６の延出部２３のリンク挿通孔２５には長リンク３６の上部３６ａが挿通されていることにより、長リンク３６の上部３６ａの左方への移動に伴い、上部キャラクタ１６が、図２に示す長孔２６に沿って左方へと移動されていく。また、図４に示すように、下部キャラクタ１８の延出部３０のリンク挿通孔３１には、長リンク３６の下部３６ｂが挿通されていることにより、長リンク３６の下部３６ｂの右方への移動に伴い、下部キャラクタ１８が図３に示す長孔３２に沿って右方へと移動されていく。
【００３２】
図９に示すように、小リンク３８の一端の左方側において、小リンク３８の他端と一端とが左右方向にほぼ水平となるまで小リンク３８が回転されると、図１２（ｂ）に示すように、上部キャラクタ１６の左方移動の限界位置となると共に、下部キャラクタ１８の右方移動の限界位置となる。
【００３３】
図９に示す状態から引き続いて第１キャラクタモータＭ１が、反時計回りに回転駆動されると、小リンク３８の回転により、小リンク３８の他端に設けた支軸４４を介して中継リンク３７の他端が図９における右方側へと押し込まれ、同時に、中継リンク３７の一端の支軸４１を介して長リンク３６の中間上部寄りが右方側へと押し込まれ、長リンク３６の中間下部寄りが支軸ピン４０を中心として図９において時計回りに回動される。長リンク３６が図９において時計回りに回動されると、長リンク３６の上部３６ａが図９において右方へと移動され、同時に長リンク３６の下部３６ｂが図９において左方へと移動される。従って、今度は、上部キャラクタ１６が、図２に示す長孔２６に沿って右方へと移動されていき、長リンク３６の下部３６ｂの左方への移動に伴い、下部キャラクタ１８が図３に示す長孔３２に沿って左方へと移動されていく。
【００３４】
そして、図１０に示すように、長リンク３６の長手方向が上下方向に一致するまで長リンク３６が時計回りに回動されると、図１２（ｃ）に示すように、上部キャラクタ１６と下部キャラクタ１８とが入賞領域１０の中央において上下に一致する。また同時に、図１０に示すように、第１カム４３の周縁に設けられた他方の欠切溝４６ｂが第１定位置検出スイッチＳＷ４の検出位置に移動され、第１定位置検出スイッチＳＷ４による検出状態がハイレベルからローレベルに転じ、他方の定位置が検出されることとなる。
【００３５】
また、図１０に示す状態から、第１キャラクタモータＭ１が、反時計回りに回転駆動されると、第１カム４３が回転移動されることにより、第１カム４３の周縁の他方の欠切溝４６ｂが第１定位置検出スイッチＳＷ４の検出位置から移動し、第１定位置検出スイッチＳＷ４による検出状態が再びローレベルからハイレベルに転じる。
【００３６】
また、小リンク３８が反時計回りに回転移動されることにより、小リンク３８の他端に設けた支軸４４を介して中継リンク３７の他端が図１０における右方側へと押し込まれることにより、長リンク３６の中間下部寄りが支軸ピン４０を中心として図１０において時計回りに回動されるので、長リンク３６の上部３６ａが図１０において右方へと移動され、同時に長リンク３６の下部３６ｂが図１０において左方へと移動され、上部キャラクタ１６が、図２に示す長孔２６に沿って右方へと移動されていき、下部キャラクタ１８が図３に示す長孔３２に沿って左方へと移動されていく。
【００３７】
そして、図１１に示すように、小リンク３８の一端の右方側において、小リンク３８の他端と一端とが左右方向にほぼ水平となるまで小リンク３８が回転されると、図１２（ｄ）に示すように、上部キャラクタ１６の右方移動の限界位置となると共に、下部キャラクタ１８の左方移動の限界位置となる。
【００３８】
図１１に示す状態から引き続いて第１キャラクタモータＭ１が、反時計回りに回転駆動されると、小リンク３８の回転により、小リンク３８の他端に設けた支軸４４を介して中継リンク３７の他端が図１１における左方側へと引き込まれることにより、長リンク３６の中間下部寄りが支軸ピン４０を中心として図１１において反時計回りに回動されるので、長リンク３６が図１１において反時計回りに回動され、長リンク３６の上部３６ａが図１１において左方へと移動され、同時に長リンク３６の下部３６ｂが図１１において右方へと移動され、上部キャラクタ１６が、図２に示す長孔２６に沿って左方へと移動されていき、下部キャラクタ１８が図３に示す長孔３２に沿って右方へと移動されていく。
【００３９】
そして、図８に示すように、長リンク３６の長手方向が上下方向に一致するまで長リンク３６が反時計回りに回動されると、第１カム４３の周縁に設けられた一方の欠切溝４６ａが第１定位置検出スイッチＳＷ４の検出位置まで移動されて第１定位置検出スイッチＳＷ４による検出状態がハイレベルからローレベルに転じ、一方の定位置が検出されることとなる。
【００４０】
次に、図６乃至図７を参照して上部キャラクタの前後方向の移動について説明する。
【００４１】
まず、図６に示す定位置では、上部キャラクタ１６と上部キャラクタ１６の後方側に移動自在に配設された押圧部材５０とは離間した状態にある。また、定位置を検出するための第２カム４８の径大フランジ部４８ｂの一端縁部４８ｃが第２定位置検出スイッチＳＷ５の検出位置にあり、第２定位置検出スイッチＳＷ５による検出状態がローレベルからハイレベルに切り換わる状態であって、定位置が検出された状態となっている。さらに、第２カム４８の中心の駆動軸４７と第２カム４８の偏心位置に設けた支軸４９とを結ぶ線分が前後方向に一致し、支軸４９が駆動軸４７の後方側に位置している。なお、図６乃至図７において、第２キャラクタモータＭ２は、反時計回りに回転駆動する。
【００４２】
図６において、第２キャラクタモータＭ２が、反時計回りに回転駆動されると、その駆動軸４７に固着された第２カム４８が反時計方向に回転される。第２カム４８が反時計回りに回転移動されることにより、第２カム４８の径大フランジ部４８ｂが第２定位置検出スイッチＳＷ５の検出位置に移動することにより、第２定位置検出スイッチＳＷ５による検出状態がハイレベル状態に維持される。
【００４３】
また、第２カム４８の偏心位置に設けた支軸４９が、第２カム４８の回転移動に伴って反時計回りに回転移動されることにより、支軸４９が押圧部材５０の後端寄りに設けられた長孔５１内に沿って図６において上方側に移動されると共に、支軸４９を介して押圧部材５０が前方に向けて押動され、押圧部材５０が前方の上部キャラクタ１６の延出部２３の後端に向けて接近移動されていき、やがて上部キャラクタ１６の延出部２３の後端面に押圧部材の前端が当接され、さらに第２キャラクタモータＭ２が、反時計回りに回転駆動されると、押圧部材５０を介して上部キャラクタ１６が前方に向けて押圧移動される。
【００４４】
図７に示すように、図６に示す定位置から第２カム４８が反時計回りに１８０度回転されると、第２カム４８の中心の駆動軸４７と第２カム４８の偏心位置に設けた支軸４９とを結ぶ線分が前後方向に一致すると共に、支軸４９が駆動軸４７の前方側に回転移動され、上部キャラクタ１６の前方移動の限界位置となる。図７に示すように、上部キャラクタ１６の前方移動の限界位置は、上部キャラクタ１６の腕部２７，２７の間にパチンコ球Ｐを介在させると共に、棚板１７の延出凸部２８にパチンコ球Ｐの下部が支えられてパチンコ球を１個分停留保持する停留位置である。また、第２カム４８の径大フランジ部４８ｂの他端縁部４８ｄが第２定位置検出スイッチＳＷ５の検出位置にあり、第２定位置検出スイッチＳＷ５による検出状態がハイレベルからローレベルに切り換わり、停留位置が検出される。
【００４５】
図７に示す上部キャラクタ１６の前方移動の限界位置から第２キャラクタモータＭ２が、反時計回りに回転駆動されると、支軸４９が、第２カム４８の回転移動に伴って反時計回りに回転移動されることにより、支軸４９が押圧部材５０の後端寄りに設けられた長孔５１内に沿って図７において下方側に移動されると共に、支軸４９を介して押圧部材５０が後方に向けて押動され、押圧部材５０が後退移動され、上部キャラクタ１６の延出部２３の後端から押圧部材５０の前端が離間される。この時に、上部キャラクタ１６の腕部２７，２７の間にパチンコ球Ｐを介在されると共に、棚板１７の延出凸部２８にパチンコ球Ｐの下部が支えられてパチンコ球を１個停留保持している場合には、パチンコ球の自重により上部キャラクタ１６が後方に向けて押圧されるため、押圧部材５０の後退移動に伴って、上部キャラクタ１６の延出部２３の後端が押圧部材５０の前端に当接した状態で後退移動される。なお、上部キャラクタ１６の腕部２７，２７と棚板１７の延出凸部２８とによりパチンコ球が保持されていない場合には、押圧部材５０のみが後退移動されるため、上部キャラクタ１６は、前方移動された位置のままとなる。
【００４６】
また、図７に示す第２カム４８が反時計回りに回転移動されることにより、第２カム４８の径小フランジ部４８ｂが第２定位置検出スイッチＳＷ５の検出位置の前方に移動することにより、第２定位置検出スイッチＳＷ５による検出状態がローレベル状態に維持される。
【００４７】
上部キャラクタ１６の腕部２７，２７と棚板１７の延出凸部２８とによりパチンコ球が保持されていた場合には、上部キャラクタ１６と押圧部材５０とが一緒に後退移動されていくに従い、パチンコ球も後方に向けて移動されるので、やがて上部キャラクタ１６の腕部２７，２７と棚板１７の延出凸部２８とによりパチンコ球を保持できなくなり、パチンコ球は、棚板１７の延出凸部２８の直ぐ後方付近で下方に落下し、下部キャラクタ１８の球受口３３に受け入れられ、球誘導路３４を通って球出口３５から前方の落入入賞部１９に落下入賞する。球出口３５が落入入賞部１９の特定領域２０の上方に位置している場合には、特定領域２０に入賞する可能性が非常に高くなる。パチンコ球が特定領域２０に入賞した場合には、特定領域通過検出スイッチＳＷ３により検出される。
【００４８】
図７に示す上部キャラクタ１６の前方移動の限界位置から第２カム４８が反時計回りに１８０度回転されると、押圧部材５０が図６に示す定位置にまで後退移動して戻ることとなり、第２カム４８の径大フランジ部４８ｂの一端縁部４８ｃが第２定位置検出スイッチＳＷ５の検出位置に移動し、第２定位置検出スイッチＳＷ５による検出状態がローレベルからハイレベルに切り換わり定位置が検出される。
【００４９】
次に、実施例におけるパチンコ機の制御系について説明する。図１３は、実施例におけるパチンコ機の制御系を示す要部ブロック図である。パチンコ機の制御部５４は、パチンコ遊技態様に対応して入賞装置ユニット２における可動翼片６、上部キャラクタ１６並びに下部キャラクタ１８の駆動制御や図柄表示器７における図柄の変動停止表示駆動制御を行うための処理実行手段としてのＣＰＵ５５と、ＣＰＵ５５が実行するための制御プログラムが格納されている記憶装置としてのＲＯＭ５６と、随時読み出しおよび書き込みが可能なデータ記憶装置としてのＲＡＭ５７と、ＣＰＵ５５が周辺機器との間でデータ通信の入出力を行うためのプログラム可能な周辺インタフェース５８（以下、ＰＰＩという）とにより構成されている。なお、ＣＰＵ５５には、ＣＰＵ５５のための電源（図示せず）やＣＰＵ５５の処理サイクルを規定するクロック回路（図示せず）が接続されている。
【００５０】
なお、請求項１に記載の異常データ無効化手段は、ＲＯＭ５６に格納されている制御プログラムの一部である。また、請求項２に記載の当たり信号を保持記憶するための複数個の記憶領域手段は、ＲＡＭ５７に設けられている。さらに、請求項２に記載されている当たり信号記憶制御手段、データ比較判別手段、判別結果記憶手段、当たり外れ判定手段及び当たり動作指令手段の各手段は、ＲＯＭ５６に格納されている制御プログラムの一部である。
【００５１】
ＣＰＵ５５に接続されたＰＰＩ５８の入力ポートには、始動口検出スイッチＳＷ１、大入賞口入賞検出スイッチＳＷ２ａ，ＳＷ２ｂ及び特定領域通過検出スイッチＳＷ３の各々が接続されると共に、第１定位置検出スイッチＳＷ４及び第２定位置検出スイッチＳＷ５の各々がスイッチ検出回路５９，６０を介して各々接続され、各スイッチのオンオフ状態が同時にＣＰＵ５５に入力されるよう構成されている。なお、始動口検出スイッチＳＷ１、大入賞口入賞検出スイッチＳＷ２ａ，ＳＷ２ｂ及び特定領域通過検出スイッチＳＷ３の各々は、オンの時に入力が１であり、第１定位置検出スイッチＳＷ４及び第２定位置スイッチＳＷ５の各々は、各スイッチの状態がハイレベルからローレベルに転じた時に入力が１となる。
【００５２】
また、ＰＰＩ５８の出力ポートには、大入賞口５，５の開閉する可動翼片６，６を揺動動作するための大入賞口ソレノイドＳＯＬ１がソレノイド駆動回路６１を介して接続されると共に、上部キャラクタ１６及び下部キャラクタ１８を左右方向対称に移動させるための第１キャラクタモータＭ１の電源部６２からの電源供給ライン６３を開閉するリレー接点６４に連絡された第１リレー６５がリレー作動回路６６を介して接続され、上部キャラクタ１６を前後方向に移動させるための第２キャラクタモータＭ１の電源部６２からの電源供給ライン６７を開閉するリレー接点６８に連絡された第２リレー６９がリレー作動回路７０を介して接続され、表示駆動回路７１を介して図柄表示器７が接続され、ＣＰＵ５５からの制御出力信号により同時にまたは個別に駆動されるように構成されている。なお、ＰＰＩ５８の出力ポートには、この他に、連続回数表示ＬＥＤ８並びに大入賞口入賞数表示ＬＥＤ９が各表示駆動回路を介して接続されているが、図示を省略している。
【００５３】
次に、図１に示す遊技盤１面におけるパチンコ遊技の概略を説明する。
電源が投入されると、入賞装置ユニット２の図柄表示器７において数字１〜８までの８種類の図柄の変動が図１４に示すような移行順序で開始されると共に、図１５に示すタイミングチャートに示すように、上部キャラクタ１６及び下部キャラクタ１８の左右方向の対称移動動作が、即ち、中央の定位置で一時停止後左右への移動動作が反復して行われる。なお、上部キャラクタ１６の前後方向における位置は、遊技球を停留保持しない図６に示す定位置に停止されている。
【００５４】
遊技盤１の中央の始動入賞口３に遊技球が入賞すると、図１６に示すように、可動翼片６，６が揺動されて約０．４秒間の左右の大入賞口５，５の開放が１回行われる。大入賞口５，５の開放中、遊技球が左右の大入賞口５，５に入賞すると、図３に示すように、入賞球は、左右の大入賞口５，５に対応する球落入口１５，１５に落入した後、棚板１７上を奥方に転動する。なお、大入賞口５，５に入賞した入賞球は、球落入口１５，１５のいずれかを通過する時点で、大入賞口入賞検出スイッチＳＷ２ａ，またはＳＷ２ｂのうちの一方によって検出される。
【００５５】
一方、棚板１７上を奥方に転動する入賞球は、棚板１７の後縁まで転動すると、棚板１７の両側寄りの後端縁から下方に落下するか、または棚板１７の後端縁中央の延出凸部２８から下方に落下する。
【００５６】
入賞球が棚板１７の両側寄りの後端縁から下方に落下する場合には、入賞球は、ほとんどの場合、球誘導板１３上を前方に向けて転動した後、落入入賞部１９に落入するが、落入入賞部１９の中央の特定領域２０に入賞する確率は低い。
【００５７】
入賞球が棚板１７の後端縁中央の延出凸部２８から下方に落下する場合は、この時に、図１２（ａ）または図１２（ｃ）に示すように上部キャラクタ１６と下部キャラクタ１９とが中央に停止されている場合であれば、上部キャラクタ１６の腕部２７，２７間を通過後、下部キャラクタ１９の球受口３３に落下し、球誘導路３４、球出口３５を経由するため、落入入賞部１９の中央の特定領域２０に入賞する確率が高い。また、図１２（ａ）または図１２（ｃ）に示すように上部キャラクタ１６と下部キャラクタ１９とが中央に停止されていなければ、入賞球は上部キャラクタ１６の腕部２７，２７間を通過しないので、ほとんどの場合、球誘導板１３上を前方に向けて転動した後、落入入賞部１９に落入するが、落入入賞部１９の中央の特定領域２０に入賞する確率は低い。
【００５８】
入賞球が特定領域２０に入賞すると、特定領域通過検出スイッチＳＷ３により特定領域通過が検出され、該特定領域２０への通過検出を以て図柄表示器７の変動が停止される。なお、特定領域通過検出スイッチＳＷ３による特定領域通過の検出有効期間は、図１６に示すように、大入賞口５，５の閉鎖後、所定時間（約３秒間）の間であり、所定時間を過ぎると無効となる。
【００５９】
また、図１７のタイミングチャートに示すように、同時に、大入賞口５，５が約３．０秒間閉鎖した後、約２３．８秒間に１８回の開閉動作を行う。なお、１８回の開閉動作の期間に、大入賞口５，５に遊技球が１０個入賞した場合は、１０個目の入賞球の検出を以て大入賞口５，５の開閉動作が停止される。以下、大入賞口５，５の上記の開閉動作を１回の連続開閉動作ということとする。なお、連続開閉動作中に、入賞球が特定領域２０を通過すると、特定領域２０を通過した時点から新たに次の連続開閉動作が開始されるが、図柄表示器７に停止された図柄の種類によって、大入賞口５，５の連続開閉動作の連続回数が決定される。停止表示された図柄と大入賞口５，５の連続回数との関係は、数字“２”，“４”，“６”，“８”である時、最初の回数を含めて２回の場合と、数字“１”，“３”，“５”，“７”である時、最初の回数を含めて１６回の場合との２つのパターンがある。
【００６０】
また、上部キャラクタ１６及び下部キャラクタ１８は、連続回数最終回以外は、入賞球が特定領域２０を通過してから各定位置で停止し、連続回数最終回は、入賞球が特定領域２０を通過した時点から、左右の反復動作を行う。大入賞口５，５の開閉動作終了後、定位置に停止する。
【００６１】
上部キャラクタ１６は、連続回数最終回以外は、入賞球が特定領域２０を通過時から前方に移動し、入賞球を最低１個停留保持し、大入賞口９の開閉動作終了後、後方に移動して停留したパチンコ球の停留を解除する。なお、連続回数最終回は、上部キャラクタ１６は、前方に移動せず後方の定位置に停止される。
【００６２】
以下、図１３に示すＲＯＭ５６に格納された制御プログラムの一部に基づいてパチンコ機における異常動作防止に関わる処理について説明をする。
【００６３】
図１８は、ＣＰＵ５５が実行する制御プログラムのメインルーチンを概略で示すフローチャートである。電源投入後、ＣＰＵ５５は、処理実行に必要な各レジスタ並びにＲＡＭ５７に設定された各フラグや各スイッチＳＷ１乃至ＳＷ６からの検出信号を記憶するための入力バッファ（１）乃至（３）並びに出力フラグ領域を初期化し（ステップＳ１）、ステップＳ２に移行する。
【００６４】
ステップＳ２においては、ＰＰＩ５８への出力処理が行われ、ＲＡＭ５７に設定された出力フラグ領域のセットされている各出力データがＰＰＩ５８に対して出力され、図１３に示す大入賞口ソレノイドＳＯＬ１、第１リレー６５、第２リレー６９並びに図柄表示器７が制御駆動される。ＣＰＵ５５はステップＳ２の処理後ステップＳ３に移行する。
【００６５】
ステップＳ３においては、メインルーチンにおけるステップＳ４及びステップＳ５の処理とステップＳ７乃至ステップＳ１２の処理とを交互に行うために判別されるメイン処理フラグの値の切替えが行われる。なお、メイン処理フラグは、ステップＳ３の処理毎に０と１とで交互に切り替えられる。ＣＰＵ５５は、ステップＳ３の処理後、ステップＳ４に移行する。
【００６６】
ステップＳ４においては、メイン処理フラグの値が０であるか否かが判別される。メイン処理フラグの値が０であれば、ＣＰＵ５５はステップＳ５及びステップＳ６の処理を行う一方、メイン処理フラグの値が１であれば、ＣＰＵ５５は、ステップＳ４の判別処理を偽と判別し、ステップＳ７乃至ステップＳ１２の処理を行う。
【００６７】
なお、ＣＰＵ５５は、ステップＳ６またはステップＳ１２の処理終了後、待機状態となり、図示しないクロック回路から発振されるクロック信号を所定数カウントすることにより発生されるリセット信号が入力されると、ステップＳ２の処理へリターンする。リセット信号の間隔は、実施例では２ｍｓであり、従って、ステップＳ５及びステップＳ６の処理と、ステップＳ７乃至ステップＳ１２の各処理とは、それぞれ４ｍｓ毎に行われることとなる。
【００６８】
ステップＳ５の処理は、ＰＰＩ５８を介して入力される各スイッチＳＷ１乃至ＳＷ６の検出状態をＲＡＭ５７に設定されている入力バッファ（１）乃至入力バッファ（３）のそれぞれに順次記憶させる処理である。
なお、各スイッチＳＷ１乃至ＳＷ６の動作維持時間は、即ち、オン状態維持時間は、１０ｍｓである。
【００６９】
ステップＳ６の処理は、ステップＳ５によって記憶された各スイッチＳＷ１乃至ＳＷ６の検出状態に基づいて、記憶されている検出データが正常であるか異常であるかの別を判別し、判別結果に応じて、異常であれば検出データを無効とする処理である。なお、検出データが正常であって、しかも各スイッチＳＷ１乃至ＳＷ６の検出状態がオンである場合、各スイッチＳＷ１乃至ＳＷ６のオン状態に対応する動作処理フラグがセットされる。
【００７０】
また、ステップＳ７の処理は、大入賞口５，５の連続開放動作の回数を決定するための乱数を加算更新する処理である。該乱数は、所定の範囲内で循環的に切替えられる。
【００７１】
ステップＳ９の処理は、上部キャラクタ１６並びに下部キャラクタ１８の左右方向の反復移動を行わせるための動作処理と、上部キャラクタ１６を入賞球の停留位置と定位置との間で前後移動させるための動作処理とを行う処理である。
【００７２】
ステップＳ９の処理は、図柄表示器７に停止表示する連続回数判定用の図柄表示データを作成する処理であり、連続開放動作の回数を決定するための乱数の値に応じて、数字“１”〜“８”が作成される。また、ステップＳ１０の処理は、図柄の変動表示並びに停止表示に関する処理である。
【００７３】
ステップＳ１１の大当り動作処理は、特定領域通過検出スイッチＳＷ３の特定領域２０の入賞球通過検出による大入賞口５，５の連続開閉動作を行わせるための処理であり、ステップＳ６の処理において大当り動作処理フラグがセットされた場合に実質的に実行される処理であり、該パチンコ遊技における大当り時に実行される処理に相当する。
【００７４】
ステップＳ１２の始動口動作処理は、始動検出スイッチＳＷ１の入賞検出による大入賞口５，５の１回開閉動作を行わせるための処理であり、ステップＳ６の処理において、始動口動作処理フラグがセットされた場合に実行される処理である。
【００７５】
次に、図１９及び図２０のフローチャートを参照してステップＳ５の入力処理及びステップＳ６の入賞記憶処理における異常動作防止に関わる処理について説明をする。
【００７６】
入力処理を開始すると、まず、ＣＰＵ５５は、入力処理開始フラグＦ１の値が開始を規定する値０であるか否かを判別する（ステップａ１）。初期化処理直後の処理では、入力処理開始フラグＦ１の値は初期化されて０であるため、ＣＰＵ５５は真と判別し、ステップａ２に移行する。
【００７７】
ステップａ２に移行したＣＰＵ５５は、入力処理開始フラグＦ１に処理開始を規定する値１をセットし（ステップａ２）、次に、図１３に示す各スイッチＳＷ１乃至ＳＷ６のオンオフ状態を記憶保持するさせるための入力バッファ（１）、入力バッファ（２）及び入力バッファ（３）を０クリアし（ステップａ３）、各入力バッファ（１）〜（３）を指定するためのインデックスレジスタｉに初期値１セットし（ステップａ４）、ステップａ５に移行する。
【００７８】
ステップａ５に移行したＣＰＵ５５は、各スイッチＳＷ１乃至ＳＷ６のオンオフ状態をＰＰＩ５８から入力し、インデックスレジスタｉの値によって指定される入力バッファ（ｉ）に格納する（ステップａ５）。例えば、この場合には、インデックスレジスタｉの値が１であるので、各スイッチＳＷ１乃至ＳＷ６のオンオフ状態を表わすパラレル検出データが入力バッファ（１）に記憶される。
【００７９】
ステップａ５の処理後、ＣＰＵ５５は、インデックスレジスタｉの値を１つアップし（ステップａ６）、次いで、インデックスレジスタｉの値が４に達したか否か、即ち、入力バッファ（１）乃至入力バッファ（３）の全てへの検出データの記憶が完了したか否かを判別する。ＣＰＵ５５は、インデックスレジスタｉの値が４に達していなければ、即ち、入力バッファ（１）乃至入力バッファ（３）への検出データの記憶が完了していなければ、ステップａ８に移行し、入賞記憶処理実行フラグＦ２に実行不可を規定する値０をセットし（ステップａ８）、今回周期の入力処理を終了する。
【００８０】
ＣＰＵ５５は、図１８に示すようにステップＳ５の入力処理を終えると、ステップＳ６の入賞記憶処理に移行する。図２０は、入賞記憶処理の一部である特定領域通過検出スイッチＳＷ３に関わる大当り記憶処理を示すフローチャートである。なお、入賞記憶処理においては、特定領域通過検出スイッチＳＷ３以外の始動検出スイッチＳＷ１、大入賞口入賞検出スイッチＳＷ２ａ並びにＳＷ２ｂ、第１定位置検出スイッチＳＷ４及び第２定位置検出スイッチＳＷ５に関わる各記憶処理が行われるが、これらの各処理は、特定領域通過検出スイッチＳＷ３に関わる大当り記憶処理と同様のアルゴリズムによるので、特定領域通過検出スイッチＳＷ３に関わる大当り記憶処理のみ示し、各スイッチＳＷ１、ＳＷ２、ＳＷ４及びＳＷ５に関わる処理は図示を省略している。
【００８１】
ＣＰＵ５５は、入賞記憶処理に移行すると、まず、入賞記憶処理実行フラグＦ２の値が実行可能を規定する値１であるか否かを判別する。この場合には、入賞記憶処理実行フラグＦ２に実行不可を規定する値０がセットされているため、ＣＰＵ５５は偽と判別してステップｂ１３に移行し、大当り動作処理フラグをクリアして今回の入賞記憶処理を終える（ステップｂ１３）。このため、実質的な入賞記憶処理は行われない。なお、図示していないが始動口動作フラグも同様にクリアされる。
【００８２】
図１８に示すように、ＣＰＵ５５は、ステップＳ６の入賞記憶処理を終えると一時的に待機し、リセット信号が入力されると、ステップＳ２及びステップＳ３を実行し、ステップＳ４の判別処理を偽と判別し、ステップＳ７〜ステップＳ１０までの各処理を実行し、続くステップＳ１１の大当り動作処理においては、大当り動作処理フラグがクリアされているため、実質的な処理を行わずにステップＳ１２の始動口動作処理に移行し、同様に、始動口動作フラグもクリアされているため、実質的な処理を行わずに一時的に待機し、リセット信号が入力されると、ステップＳ２及びステップＳ３を実行し、ステップＳ４の判別処理を真と判別し、再びステップＳ５の入力処理を行う。
【００８３】
図１９に示す入力処理においては、入力処理開始フラグＦ１に処理開始を規定する値１がセットされている結果、ＣＰＵ５５は、ステップａ１の判別処理を偽と判別してステップａ５に移行し、ＰＰＩ５８からの各スイッチＳＷ１乃至ＳＷ６のオンオフ状態の２回目の入力を行って、各スイッチＳＷ１乃至ＳＷ６の検出データをインデックスレジスタｉにセットされている値２によって指定される入力バッファ（２）に格納する。
【００８４】
ステップａ５の処理後、ＣＰＵ５５は、インデックスレジスタｉの値を１つアップし（ステップａ６）、ステップａ７の判別処理を偽と判別し、ステップａ８をへて今回の入力処理を終える。
【００８５】
続く入賞記憶処理においては、ＣＰＵ５５は、ステップｂ１及びステップｂ１３を経て、入賞記憶処理を終え、リセット信号が入力されると、再びステップＳ２にリターンし、ステップＳ２乃至ステップＳ４、ステップＳ７乃至ステップＳ１２を経るが、前記と同様、大当り動作処理フラグ並びに始動口動作フラグがクリアされているため、実質的な大当り動作処理並びに始動口動作処理を行わずに一時的に待機し、リセット信号が入力されると、ステップＳ２及びステップＳ３を実行し、ステップＳ４の判別処理を真と判別し、再びステップＳ５の入力処理を行う。
【００８６】
図１９に示す入力処理においては、ＣＰＵ５５は、ステップａ１の判別処理を偽と判別してステップａ５に移行し、ＰＰＩ５８からの各スイッチＳＷ１乃至ＳＷ６のオンオフ状態の３回目の入力を行って、各スイッチＳＷ１乃至ＳＷ６の検出データをインデックスレジスタｉにセットされている値３によって指定される入力バッファ（３）に格納する。これにより、入力バッファ（１）乃至入力バッファ（３）への各スイッチＳＷ１乃至ＳＷ６に関わる検出データの記憶が完了することとなる。なお、前述したようにステップＳ５の入力処理は、４ｍｓ毎に行われるため、入力バッファ（１）乃至入力バッファ（３）には、４ｍｓ毎の各スイッチＳＷ１乃至ＳＷ６に関わる検出データが記憶されていることとなる。
【００８７】
次いで、ＣＰＵ５５は、インデックスレジスタｉの値を１つアップし（ステップａ６）、インデックスレジスタｉの値が４に達する結果、ステップａ７の判別処理を真と判別し、ステップａ９に移行する。ＣＰＵ５５は、ステップａ９に移行すると、入力処理開始フラグＦ１の値を開始を規定する値０に戻し（ステップａ９）、入賞記憶処理実行フラグＦ２に実行可を規定する値１をセットし（ステップａ１０）、今回周期の入力処理を終了する。
【００８８】
続いてＣＰＵ５５は、図２０に示す入賞記憶処理に移行すると、入賞記憶処理実行フラグＦ２に実行可を規定する値１がセットされている結果、ステップｂ１の判別処理を真と判別してステップｂ２に移行し、特定領域通過検出スイッチＳＷ３のオン状態をカウントする当たり回数カウンタＣ１を０クリアし（ステップｂ２）、次いで、特定領域通過検出スイッチＳＷ３のオフ状態をカウントする外れ回数カウンタＣ２を０クリアし（ステップｂ３）、各入力バッファ（１）〜（３）を指定するためのインデックスレジスタｊに初期値１セットし（ステップｂ４）、ステップｂ５に移行する。
【００８９】
ＣＰＵ５５は、ステップｂ５に移行すると、インデックスレジスタｊの値によって指定される入力バッファ（ｊ）に記憶保持されている検出データの大当りビットの値が、当たりを規定する値に一致しているか否かを判別する。即ち、特定領域通過検出スイッチＳＷ３のオンオフ状態が記憶されているビットの値が、基準当たりデータの値１に一致しているか否かを判別する（ステップｂ５）。なお、この場合には、インデックスレジスタｊの値が１である結果、入力バッファ（１）に関して判別が行われる。
【００９０】
ＣＰＵ５５は、入力バッファ（ｊ）に記憶保持されている検出データの大当りビットの値が基準当たりデータの値１に一致していれば、当たり回数カウンタＣ１の値を１つインクリメントする一方（ステップｂ６）、入力バッファ（ｊ）に記憶保持されている検出データの大当りビットの値が基準当たりデータの値１に一致していなければ、外れ回数カウンタＣ２の値を１つインクリメントし（ステップｂ７）、ステップｂ８に移行し、インデックスレジスタｊの値を１つアップし（ステップｂ８）、インデックスレジスタｊの値が４に達したか否か、即ち、入力バッファ（１）乃至入力バッファ（３）の全てに関して大当りビットの判別が完了したか否かを判別する。ＣＰＵ５５は、インデックスレジスタｊの値が４に達していなければ、ステップｂ５に戻る。
【００９１】
以下、ＣＰＵ５５は、歩進したインデックスレジスタｊの値に従って入力バッファ（ｊ）の大当りビットの値を判別し、大当りビットの値の基準当たりデータ値１に対する一致不一致の別に応じて、当たり回数カウンタＣ１の値または外れ回数カウンタＣ２の値を１つアップして当たり回数と外れ回数とをそれぞれ計数し、インデックスレジスタｊの値を歩進する処理を繰り返す。
【００９２】
そして、入力バッファ（１）乃至入力バッファ（３）の全てに関して大当りビットの判別が完了すると（ステップｂ７）、ステップｂ８の処理によりインデックスレジスタｊの値が３から４に歩進される結果、続くステップｂ９の判別結果が真となり、ＣＰＵ５５はステップｂ１０に移行する。
【００９３】
ステップｂ１０に移行すると、ＣＰＵ５５は、入賞記憶処理実行フラグＦ２の値を実行不可を規定する値０に戻し（ステップｂ１０）、次いで、当たり回数カウンタＣ１に計数された当たり回数が外れ回数カウンタに計数された外れ回数を超えているか否かを判別し（ステップｂ１１）、当たり回数が外れ回数を超えていれば、大当り動作処理フラグをセットする一方（ステップｂ１２）、当たり回数が外れ回数を超えていなければ、大当り動作処理フラグをクリアし（ステップｂ１３）、入賞記憶処理を終了する。
【００９４】
本実施例では、入力バッファ（１）乃至入力バッファ（３）に、４ｍｓ毎の各スイッチＳＷ１乃至ＳＷ６のオンオフ状態に関わる検出データを順次記憶させ、計３回の検出データを保持し、入力バッファ（１）乃至入力バッファ（３）への検出データの記憶が完了した時点で、各入力バッファ（１）〜（３）の各大当りビットの値と基準当たりデータとの一致不一致を順次判別すると共に、一致の場合には、当たり回数として計数する一方、不一致の場合には外れ回数として計数し、当たり回数が外れ回数を上回ったときに限り、大当り動作フラグをセットする一方、当たり回数が外れ回数を下回った場合は、大当り動作処理フラグをクリアする。
【００９５】
なお、大当り動作フラグがセットされた場合には、リセット信号入力後に行われるステップＳ１１の大当り動作処理において図１７に示す大入賞口５，５の連続開閉動作を行わせるのための処理が開始されることとなる。
【００９６】
図２１は、実施例におけるステップＳ５の入力処理の実行タイミングと特定領域通過検出スイッチＳＷ３の動作維持時間との関係を示すタイミングチャートであり、特定領域通過検出スイッチＳＷ３が正常オン動作している場合には、３回の入力検出記憶のうち少なくとも２回は、オンが検出されるため、ステップＳ６の入力記憶処理で当たり回数が外れ回数を上回ることとなり、大当り動作処理フラグが正常にセットされる。
【００９７】
また、特定領域通過検出スイッチＳＷ３が動作していなければ、即ち、オフ動作している場合には、３回の入力検出記憶の全てがオフ動作しているため、ステップＳ６の入力記憶処理で当たり回数が外れ回数を下回ることとなり、大当り動作処理フラグが正常にクリアされる。
【００９８】
さらに、例えば、特定領域通過検出スイッチＳＷ３がノイズにより異常オン動作している場合には、異常時のオン時間は、正常時の動作維持時間に比べて短いため、３回の入力検出記憶のうち多くとも１回だけしかオン検出されない。このため、ステップＳ６の入力記憶処理で当たり回数が外れ回数を下回ることとなり、大当り動作処理フラグが正常にクリアされる。従って、ノイズによるオン信号を当たり動作信号として記憶することなく無効とするので、実際に当たりではないにもかかわらず、当たりである場合の遊技態様が、入賞装置ユニット２や図柄表示器７を介して具現されてしまうといった異常動作を防止することができる。
【００９９】
【発明の効果】
本発明のパチンコ機における異常動作防止装置によれば、マイクロコンピユータの記憶装置に配備された異常データ無効化手段が、データ記憶装置内に記憶保持されたパチンコ遊技態様に関するデータが異常データである場合に、該異常データを無効とするので、異常データに起因するパチンコ機における異常動作を防止することができる。
【０１００】
また、異常データ無効化手段は、マイクロコンピユータの記憶装置に配備されるため、マイクロコンピユータの記憶装置に配備されるパチンコ遊技に関わる他の制御手段と一緒に一括して記憶装置に配備させることができ、ハード的に部品設備を特別にパチンコ機に設ける必要がない。
【０１０１】
さらに、データ記憶装置内に当たり信号を保持記憶するための複数個の記憶領域手段を備え、異常データ無効化手段に、当たり信号記憶制御手段と、データ比較判別手段と、判別結果記憶手段と、当たり外れ判定手段と、当たり動作指令手段とを備え、当たり信号記憶制御手段が、当たり信号をデータ記憶装置内に設定された複数個の記憶領域手段のそれぞれに順次記憶させ、データ比較判別手段が、複数個の記憶領域手段に記憶された当たり外れに関する各データが予め設定記憶された基準当たりデータに各々一致するか否か判別し、判別結果記憶手段が、データ比較判別手段による各判別結果をそれぞれ当たり外れの別に計数記憶し、当たり外れ判定手段が、判別結果記憶手段に個別に記憶された当たり外れの判別結果に基づき、当たりか外れかを判定し、当たり動作指令手段が、当たり外れ判定手段によって当たりと判定された場合にのみ、当たり信号を有効なものとして当たり動作処理を可能とし、当たり外れ判定手段によって外れと判定された場合には、当たり信号を無効なものとし当たり動作処理を禁止するので、ノイズによってオン信号が混入した場合、ノイズによるオン信号が当たり動作信号として記憶されることなく無効になるため、実際に当たりではないにもかかわらず、当たりである場合の遊技態様が、入賞装置や図柄表示装置を介して具現されてしまうといったパチンコ機の異常動作を防止することができる。従って、当たり動作を確実に、ノイズにより作用されることなく実現処理でき、遊技者にとっても遊技場に対しても異常動作による不利益のない当たり動作を入賞装置や図柄表示装置に保証させることができる。
【図面の簡単な説明】
【図１】本発明の異常動作防止装置を備えた一実施例のパチンコ機に配備された遊技盤の正面図
【図２】同実施例のパチンコ機に配備された入賞装置ユニットの拡大正面図
【図３】同実施例のパチンコ機に配備された入賞装置ユニットを一部破断して示す要部斜視図
【図４】同実施例のパチンコ機に配備された入賞装置ユニットの要部断面を示す側断面図
【図５】パチンコ球の停留保持時の上部キャラクタ及び棚板を示す斜視図
【図６】入賞装置ユニットの上部キャラクタの前後動作の定位置における上部キャラクタと第２カムと押圧部材と第２定位置検出スイッチとの係合関係を示す平面図
【図７】入賞装置ユニットの上部キャラクタの前後動作の停留位置における上部キャラクタと第２カムと押圧部材と第２定位置検出スイッチとの係合関係を示す平面図
【図８】入賞装置ユニットの上部キャラクタ並びに下部キャラクタの左右方向の反復動作の一方の定位置における入賞装置ユニットの上部キャラクタと下部キャラクタとの間に係合されたリンク機構と第１カムと第１定位置検出スイッチとの係合関係を示す正面図
【図９】入賞装置ユニットの上部キャラクタ並びに下部キャラクタの左右方向の反復動作の一方の移動限界位置における入賞装置ユニットの上部キャラクタと下部キャラクタとの間に係合されたリンク機構と第１カムと第１定位置検出スイッチとの係合関係を示す正面図
【図１０】入賞装置ユニットの上部キャラクタ並びに下部キャラクタの左右方向の反復動作の他方の定位置における入賞装置ユニットの上部キャラクタと下部キャラクタとの間に係合されたリンク機構と第１カムと第１定位置検出スイッチとの係合関係を示す正面図
【図１１】入賞装置ユニットの上部キャラクタ並びに下部キャラクタの左右方向の反復動作の他方の移動限界位置における入賞装置ユニットの上部キャラクタと下部キャラクタとの間に係合されたリンク機構と第１カムと第１定位置検出スイッチとの係合関係を示す正面図
【図１２】同実施例における入賞装置ユニットの上部キャラクタ並びに下部キャラクタの左右方向の反復動作における上部キャラクタと下部キャラクタとの間に係合されたリンク機構の揺動位置と上部キャラクタ並びに下部キャラクタの動作位置との対応関係を示す正面図
【図１３】同実施例におけるパチンコ機の制御系を示す要部ブロック図
【図１４】図柄表示器における図柄の移行順序を示す図
【図１５】電源投入後の通常時における上部キャラクタ並びに下部キャラクタの左右方向の反復動作と上部キャラクタの前後動作を示すタイミングチャート
【図１６】始動入賞口入賞時の可動翼片の開閉動作と特定領域通過検出スイッチの検出有効タイミング時間を示すタイミングチャート
【図１７】特定領域入賞時の可動翼片の開閉動作と上部キャラクタ並びに下部キャラクタの左右方向の反復動作と上部キャラクタの前後動作を示すタイミングチャート
【図１８】ＣＰＵが実行する制御プログラムのメインルーチンを概略で示すフローチャート
【図１９】入力処理を示すフローチャート
【図２０】入賞記憶処理の一部である特定領域通過検出スイッチＳＷ３に関わる大当り記憶処理を示すフローチャート
【図２１】実施例における入力処理の実行タイミングと特定領域通過検出スイッチＳＷ３の動作維持時間との関係を示すタイミングチャート
【符号の説明】
１  遊技盤
２  入賞装置ユニット
３  始動入賞口
４  入賞装置ユニット枠
５  大入賞口
６  可動翼片
７  図柄表示器
８  連続回数表示ＬＥＤ
９  大入賞口入賞数表示ＬＥＤ
１０  入賞空間
１１  側方壁
１２  天壁
１３  球誘導板
１４  後壁
１５  球落入口
１６  上部キャラクタ
１７  棚板
１８  下部キャラクタ
１９  落入入賞部
２０  特定領域
２１  ブラケット
２２  キャラクタ部（上部キャラクタ）
２３  延出部（上部キャラクタ）
２４  挿通支持部（上部キャラクタ）
２５  リンク挿通孔（上部キャラクタ）
２６  長孔
２７  腕部
２８  延出凸部
２９  キャラクタ部（下部キャラクタ）
３０  延出部（下部キャラクタ）
３１  リンク挿通孔（下部キャラクタ）
３２  長孔
３３  球受口
３４  球誘導路
３５  球出口
３６  長リンク
３７  中継リンク
３８  小リンク
３９  リンク機構
４０  支軸ピン
４１  支軸
４２  駆動軸
４３  第１カム
４４  支軸
４５  フランジ
４６  欠切溝
４７  駆動軸
４８  第２カム
４８ａ  径小フランジ部
４８ｂ  径大フランジ部
４８ｃ  端縁部
４８ｄ  端縁部
４９  支軸
５０  押圧部材
５１  長孔
５４  制御部
５５  ＣＰＵ
５６  ＲＯＭ
５７  ＲＡＭ
５８  周辺インタフェース（ＰＰＩ）
５９  スイッチ検出回路
６０  スイッチ検出回路
６１  ソレノイド駆動回路
６２  電源部
６３  電源供給ライン
６４  リレー接点
６５  第１リレー
６６  リレー作動回路
６７  電源供給ライン
６８  リレー接点
６９  第２リレー
７０  リレー作動回路
７１  表示駆動回路
ＳＷ１  始動検出スイッチ
ＳＷ２ａ  大入賞口入賞検出スイッチ
ＳＷ２ｂ  大入賞口入賞検出スイッチ
ＳＷ３  特定領域通過検出スイッチ
ＳＷ４  第１定位置検出スイッチ
ＳＷ５  第２定位置検出スイッチ
Ｍ１  第１キャラクタモータ
Ｍ２  第２キャラクタモータ
ＳＯＬ１  大入賞口ソレノイド
【図１】
0003849034.tif 000002
【図２】
0003849034.tif 000003
【図３】
0003849034.tif 000004
【図４】
0003849034.tif 000005
【図５】
0003849034.tif 000006
【図６】
0003849034.tif 000007
【図７】
0003849034.tif 000008
【図８】
0003849034.tif 000009
【図９】
0003849034.tif 000010
【図１０】
0003849034.tif 000011
【図１１】
0003849034.tif 000012
【図１２】
0003849034.tif 000013
【図１３】
0003849034.tif 000014
【図１４】
0003849034.tif 000015
【図１５】
0003849034.tif 000016
【図１６】
0003849034.tif 000017
【図１７】
0003849034.tif 000018
【図１８】
0003849034.tif 000019
【図１９】
0003849034.tif 000020
【図２０】
0003849034.tif 000021
【図２１】
0003849034.tif 000022